(57)【要約】【課題】液の注出に当たり容器体を傾ける角度が小さくて済み、容易に注出が行えるとともに、口径が大きいノズルを使用しても非使用時には注出口を確実に閉塞した液垂れを防止することができ、また、装着した容器が倒れても蓋が外れる等の不都合を極力防止できるとともに、蓋の係止，係止解除が容易で、しかも合成樹脂で一体に形成することが可能な注出キャップを提案する。【解決手段】側方を向くノズル５の先端に、一端を回動可能に連結してノズル先端開口を開閉可能に閉塞する蓋板６を備えており、蓋板６の閉方向への回動時に弾性変形して蓋板に設けた透孔13内を揺動可能に貫通させた先端部を、蓋板外面に係脱可能に係合したロックボタン14を設けた。【選択図】図１
2005187009.tif 000002
【特許請求の範囲】
【請求項１】
容器体２の口頸部３に嵌着するキャップ本体４と、該本体上に起立するとともに、側方へ向くノズル５と、該ノズルの先端に一端を回動可能に連結するとともに、前記ノズルの先端開口を開閉可能に閉塞し、且つ他端を下方へ延設した蓋板６とを備え、前記蓋板の閉方向への回動時に弾性変形して前記蓋板に設けた透孔13内を揺動可能に貫通させた先端部を、前記蓋板外面に係脱可能に係合したロックボタン14を設けてなることを特徴とする注出キャップ。
【請求項２】
前記ノズルの先端部と前記蓋板の一端との連結が、前記ノズルの先端部と前記蓋板の一端部とを薄肉ヒンジ11で連結するとともに、その両側に於いて前記ノズル外面先端部と前記蓋板一端部とを弾性連結片12で連結して自動的な開蓋が可能に構成してなる請求項１に記載の注出キャップ。
【請求項３】
前記ノズルを被覆して前記キャップ本体に下縁を着脱可能に嵌合させた計量カップ17を設けてなる請求項１に記載の注出キャップ。
【請求項４】
容器体２の口頸部３に嵌着するキャップ本体４と、該本体上に起立するとともに、側方へ向くノズル５と、該ノズルの先端に一端を回動可能に連結するとともに、前記ノズルの先端開口を開閉可能に閉塞し、且つ他端を下方へ延設した蓋板６とを備え、前記蓋板の閉方向への回動時に弾性変形して前記蓋板に設けた透孔13内を揺動可能に貫通させた先端部を、前記蓋板外面に離脱を防止して係合し、且つ、切り取り可能に形成したロックボタン14を設けてなることを特徴とする注出キャップ。
【請求項５】
前記ロックボタン14が、前記透孔13上下の対向する蓋板６外面にそれぞれ係合突部16を係合させた一対の揺動板部15A ，15B を有する請求項４に記載の注出キャップ。
【発明の詳細な説明】
【技術分野】
【０００１】
本発明は注出キャップに関し、詳しくは、容器体等の口頸部に装着してその収納物を注出するための注出キャップに関する。
【背景技術】
【０００２】
前記注出キャップとして、容器体の口頸部に装着し、ノズルを上方に立設して収納物を注出する如く構成したものが一般に提案されている（例えば、特許文献１参照）。
【０００３】
前記注出キャップは、容器体に対して上下動可能にノズルを装着し、また、ノズルを被覆して装着するカバーキャップにより、ノズルの上下動を可能に構成したものであり、使用時にカバーキャップを外せばノズルが上昇し、カバーキャップを装着すればノズルが下降する如く構成している。
【特許文献１】特開２００３−４３１２号公報
【発明の開示】
【発明が解決しようとする課題】
【０００４】
前記した如き従来の注出キャップは、前記構成とすることにより液垂れを確実に防止することができるとともに、ノズルが邪魔にならず、容器体の自立安定性，積載性、格納，収納性に優れたものである。
【０００５】
しかしながら、この様にノズルが上方へ起立してその先端開口が上方を向くものにあっては、液の注出の際に容器体を大きな角度で傾けなければならず、注出し難い欠点があり、特に、ノズルの口径が大きく流動性の高い液の注出を行う場合にはその加減が難しく、この点に取り扱い難い欠点がある。
【０００６】
本発明は前記した点を考慮してなされたもので、液の注出にあたり容器体を傾ける角度が小さくて済み、容易に注出が行えるとともに、口径が大きいノズルを使用しても非使用時には注出口を確実に閉塞して液垂れを防止することができ、装着した容器体が倒れても蓋が外れる等の不都合を極力防止でき、また、蓋の係止及び係止解除が容易で簡単に開蓋することができ、しかも、合成樹脂で一体に形成することが可能なことから安価に製造できる注出キャップを提案するものである。
【課題を解決するための手段】
【０００７】
本請求項１発明は、前記課題を解決するため、容器体２の口頸部３に嵌着するキャップ本体４と、該本体上に起立するとともに、側方へ向くノズル５と、該ノズルの先端に一端を回動可能に連結するとともに、前記ノズルの先端開口を開閉可能に閉塞し、且つ他端を下方へ延設した蓋板６とを備え、前記蓋板の閉方向への回動時に弾性変形して前記蓋板に設けた透孔13内を揺動可能に貫通させた先端部を、前記蓋板外面に係脱可能に係合したロックボタン14を設けてなることを特徴とする注出キャップとして構成した。
【０００８】
本請求項２発明は、前記ノズルの先端部と前記蓋板の一端との連結が、前記ノズルの先端部と前記蓋板の一端部とを薄肉ヒンジ11で連結するとともに、その両側に於いて前記ノズル外面先端部と前記蓋板一端部とを弾性連結片12で連結して自動的な開蓋が可能に構成してなる請求項１に記載の注出キャップとして構成した。
【０００９】
本請求項３発明は、前記ノズルを被覆して前記キャップ本体に下縁を着脱可能に嵌合させた計量カップ17を設けてなる請求項１に記載の注出キャップとして構成した。
【００１０】
本請求項４発明は、容器体２の口頸部３に嵌着するキャップ本体４と、該本体上に起立するとともに、側方へ向くノズル５と、該ノズルの先端に一端を回動可能に連結するとともに、前記ノズルの先端開口を開閉可能に閉塞し、且つ他端を下方へ延設した蓋板６とを備え、前記蓋板の閉方向への回動時に弾性変形して前記蓋板に設けた透孔13内を揺動可能に貫通させた先端部を、前記蓋板外面に離脱を防止して係合し、且つ、切り取り可能に形成したロックボタン14を設けてなることを特徴とする注出キャップとして構成した。
【００１１】
本請求項５発明は、前記ロックボタン14が、前記透孔13の対向する蓋板６外面にそれぞれ係合突部16を係合させた一対の揺動板部15A ，15B を有する請求項４に記載の注出キャップとして構成した。
【発明の効果】
【００１２】
本発明のキャップは、蓋板６の閉方向への回動時に弾性変形して蓋板６に設けた透孔13内を揺動可能に貫通させた先端部を、蓋板６外面に係脱可能に係合したロックボタン14を設けているので、ロックボタン14の係合幅を充分とることにより多少の外力では係合が外れることがなく、不用意な開蓋を防止できる一方、容易な係合解除を行えるものである。また、液の注出にあたり容器体を傾ける角度が小さくて済み、容易に注出ができる。
【００１３】
また、前記ノズルの先端部と前記蓋板の一端との連結が、前記ノズルの先端部と前記蓋板の一端部とを薄肉ヒンジ11で連結するとともに、その両側に於いて前記ノズル外面先端部と前記蓋板一端部とを弾性連結片12で連結して自動的な開蓋が可能に構成してなるものにあっては、蓋板６の開閉を所定上下方向の同一軌道で常時行えるとともに、蓋板６を開いた状態で維持できて収納物の注出時に邪魔にならず、取り扱いも便利である。
【００１４】
また、前記ノズルを被覆して前記キャップ本体に下縁を着脱可能に嵌合させた計量カップ17を設けてなるものにあっては、収納物の定量を常時容易に計り取ることができるとともに、非使用時にはノズル５を被覆して埃等の付着を防止できる。
【００１５】
また、先端部の離脱を防止して係合し且つ切り取り可能に形成したロックボタン14を設けてなるものにあっては、不用意な開蓋を特に防止したい開封前の流通或いは商品展示時に外力では係合が外れることがなく、不用意な開蓋を防止できるとともに、容器の未使用が一目瞭然であり、収納物の入れ換え等の悪戯防止等を同時に図れるものである。
【００１６】
また、前記ロックボタン14が、前記窓孔上下の対向する蓋板６外面にそれぞれ係合突部16を係合させた一対の揺動板部15A ，15B を有するものにあっては、ロックボタン14先端部の蓋板６に対する抜け出しを防止しての係合をより容易に行える利点を兼ね備えている。
【発明を実施するための最良の形態】
【００１７】
図１乃至図３は本発明注出キャップの一例を示すもので、注出キャップ１は、合成樹脂により一体に形成されており、容器体２の口頸部３に嵌着するキャップ本体４と、該本体上に立設したノズル５と、蓋板６とを備えている。
【００１８】
嵌着する容器体２は種々の形態のものが使用でき、図示例では、圧搾可能な胴部７より口頸部３を起立しているが、圧搾可能な胴部を備えていないものにも当然適用可能である。
【００１９】
キャップ本体４は、容器体２の口頸部３外周に嵌合させた周壁８の上端縁より頂板９を延設し、周壁８の内周を螺着或いは突条相互の乗り越え係合等の適宜係止手段により係止させる如く構成している。図示例では、容器体２の口頸部３外周に嵌合させた周壁８の上端縁より頂板９を延設し、頂板９の裏面からは口頸部３内周に密に嵌合させたシール筒10を垂設してこの部分の液密性を図っている。また、周壁８の外周上部は段部を介して小径部8aに形成し、後述する計量カップを嵌合する如く構成している。
【００２０】
ノズル５は、下端を装着した口頸部３内と連通させてキャップ本体４上に起立したもので、先端を側方へ向けて構成している。図示例では、頂板９後部に下端を開口した有頂半円筒状の縦筒部5aを立設し、その前面上部に基端を連通して前方へ、側方を向く横筒部5bを突設してノズル５を構成している。
【００２１】
蓋板６は、ノズル５の先端に一端を回動可能に連結するとともに、ノズル５の先端開口を開閉可能に閉塞し、且つ、他端を下方へ延設している。図示例に於いて、蓋板６は、平板状をなす蓋板本体6aの一端を、ノズル５の先端部と薄肉ヒンジ11により連結するとともに、その両側に於いてノズル外面先端部と蓋板本体6a一端部とをそれぞれ波板状の弾性連結片12で連結して自動的な開蓋が可能に構成している。尚、この蓋板６の連結構造はこれに限られず、薄肉ヒンジのみで回動可能に連結しても良く、また、他の公知の弾性反転連結機構を採用することも可能である。
【００２２】
また、蓋板本体6a裏面より突設した嵌合筒部6bをノズル先端開口に液密に嵌合させている。この嵌合筒部6bにかえて膨出部を突設しても良い。また、蓋板本体6aの下端はノズル５の横筒部5b下方位置まで垂下させており、この垂下部分には後述ロックボタン14を嵌合させるための透孔13を穿設している。
【００２３】
本発明では、蓋板６の閉方向への回動時に弾性変形して蓋板６に設けた透孔13内を揺動可能に貫通させた先端部を、蓋板６外面に係脱可能に係合したロックボタン14を設けている。図１の実施例に於いてロックボタン14は、ノズル５の縦筒部5a前面より一体に突設した揺動板部15の下部外面に係合突部16を突設して構成しており、前記透孔13より先端部を突出させてその係合突部16後面を透孔13下縁部の蓋板本体6a外面に係合させている。透孔13はロックボタン14が揺動可能な幅を有しており、上方へ揺動板部15を弾性変形させると係合突部16の係合が解除される如く構成している。係合突部16の下面は後方へいくに従って外方へ広がる傾斜面をなしており、また、ロックボタン14の先端部は蓋板６の閉方向への回動の際に前記透孔13に臨む如く構成し、蓋板６を閉じる際に先端部が透孔13に容易に挿入できる如く構成している。
【００２４】
また、本発明ではノズル５を被覆してキャップ本体４に下縁を着脱可能に嵌合させた計量カップ17を設けても良い。図示例では、キャップ本体４の小径部8a外周に下部を着脱可能に嵌合させて計量カップ17を装着できる如く構成している。
【００２５】
前記の如く構成した注出キャップ１を使用する場合について説明する。まず、図１の状態から計量カップ17を外し、ロックボタン14を上方へ押圧して係合突部16の係合を外した後、蓋板６を上方へ回動させて嵌合筒部6bをノズル先端開口より外し、蓋板６を上方を回動させると、弾性連結片12の作用で蓋板６は上方へ回動して、図２に示す如く、所定角度まで自動的に開く。蓋板６を閉じる際には単に閉じる方向に蓋板６を回動させれば良い。この際ロックボタン14の先端は透孔13に臨む位置にあるため容易にロックボタン14は透孔13内に嵌合し、更に蓋板６を回動させると揺動板部15が上方へ弾性変形し、蓋板６が閉じ終わった際に弾性復元してその係合突部16後面が蓋板６外面に当接係合させる。この際、嵌合筒部6bがノズル先端開口に液密に係合する。
【００２６】
図４は他の実施例を示し、異なる形態のロックボタン14を採用した例であり、前記蓋板６の閉方向への回動時に弾性変形して蓋体６に設けた透孔13内を揺動可能に貫通させた先端部を、前記蓋板６外面に離脱を防止して係合している。この場合のロックボタン14は、透孔13の対向する蓋板６外面にそれぞれ係合突部16を係合させた一対の揺動板部15A ，15B を相互に揺動可能に設けてなるものであり、先端を二股状に分岐して上記一対の揺動板部15A ，15B を構成している。また、各係合突部16は後方へいくに従って外方へ広がる傾斜面をなしており、ロックボタン14の先端部は蓋板６の閉方向への回動の際に前記透孔13に臨む如く構成し、蓋板６を閉じる際に先端部が透孔13に容易に挿入できる如く構成している。また、ロックボタン14の先端部を離脱を防止して係合させるために、透孔13の大きさ，各係合突部16の突出幅等を適宜選択する。
【００２７】
また、本実施例では、ロックボタン14を切り取り可能に構成しており、注出キャップ１に未使用を表現できる所謂バージンシール機能を付与している。切り取り可能な具体的構成として、図示例では、複数の易切断性の連結片18により後端部を縦筒部5a前面に連結しており、使用時にロックボタン14を切断除去して使用する。この場合に於けるロックボタン14の機能としては、流通時或いは保管時に於ける外力による開蓋防止を主目的とし、併せて上記バージンシール機能を備えたものとなる。その他の構成は実質的に図１の実施例と同様である。
【００２８】
尚、前述した如く注出キャップ１は合成樹脂により形成することができ、全体を一体成形により形成することも可能である。
【図面の簡単な説明】
【００２９】
【図１】本発明注出キャップを示す一部切欠側面図である。（実施例１）
【図２】同実施例の開蓋状態の一部切欠側面図である。（実施例１）
【図３】本発明注出キャップを示す斜視図である。（実施例１）
【図４】本発明注出キャップを示す一部切欠側面図である。（実施例２）
【符号の説明】
【００３０】
２…容器体，３…口頸部，４…キャップ本体，５…ノズル，６…蓋板，
11…薄肉ヒンジ，  12…弾性連結片，13…透孔，14…ロックボタン，
15，15A ，15B …揺動板部，16…係合突部，17…計量カップ
【図１】
2005187009.tif 000003
【図２】
2005187009.tif 000004
【図３】
2005187009.tif 000005
【図４】
2005187009.tif 000006